(57)【要約】【課題】本発明は、レンズ装置に対して比較的大型のモータが使用される監視カメラ用のレンズ装置において、モータの配置位置を改善してコンパクト化を図ることができるレンズ装置を提供する。【解決手段】レンズ装置１０によれば、フォーカスモータ６０及びアイリスモータ８４を固定鏡胴２２の光軸Ｐに対し直交して配置し、且つフォーカスリング２６とアイリスリング２８との間に形成されている凹部６４に配置する。これにより、フォーカスモータ６０及びアイリスモータ８４の端部がレンズ装置１０の前方に突出することはない。また、フォーカスモータ６０及びアイリスモータ８４がレンズ装置１０の側部から大きく突出することもない。よって、レンズ装置１０に対して比較的大型のフォーカスモータ６０及びアイリスモータ８４が使用される監視カメラ用のレンズ装置において、コンパクト化を図ることができる。【選択図】  図１
2006251681.tif 000002
【特許請求の範囲】
【請求項１】
固定鏡胴と、
前記固定鏡胴に回転自在に取り付けられるとともに外周部にギヤが形成されたリングギヤと、
前記固定鏡胴の光軸に対し直交して配置されるとともに前記固定鏡胴の外周部に形成されている凹部に配置され、前記リングギヤに回転駆動力を与えるモータと、
を備えたことを特徴とするレンズ装置。
【請求項２】
前記リングギヤは、第１のリングギヤと第２のリングギヤとから構成され、前記凹部は、第１のリングギヤと第２のリングギヤとの間に形成されていることを特徴とする請求項１に記載のレンズ装置。
【請求項３】
前記モータは、前記第１のリングギヤに動力を与える第１のモータと、前記第２のリングギヤに動力を与える第２のモータとを有し、
前記第１のモータと前記第２のモータとは、前記光軸を挟んで両側に配置されていることを特徴とする請求項２に記載のレンズ装置。
【請求項４】
前記第１のリングギヤはフォーカスリング、前記第２のリングギヤはアイリスリングであることを特徴とする請求項２又は３に記載のレンズ装置。
【発明の詳細な説明】
【技術分野】
【０００１】
本発明はレンズ装置に係り、特に監視カメラ用のレンズ装置であってレンズを光軸方向に前後移動させてフォーカシングを行うフォーカスモータと、絞り装置を駆動して絞りを調整するアイリスモータとを備えたレンズ装置に関する。
【背景技術】
【０００２】
電動によりフォーカシングを行うレンズ装置は特許文献１の如く、レンズ鏡胴の後端部（カメラ側端部）の側部にフォーカスモータを配置し、このフォーカスモータからの回転駆動力を動力伝達機構を介してフォーカスレンズ保持枠に伝達、フォーカスレンズ保持枠を光軸に沿って前後移動させる構成が一般的である。
【０００３】
フォーカスレンズ保持枠は、固定鏡胴にヘリカルギヤを介して連結され、フォーカスレンズ保持枠を回動させると、ヘリカルギヤの送り作用によってフォーカスレンズ保持枠が光軸に沿って前後移動する。この移動動作によってフォーカシングがなされる。
【０００４】
ところで、監視カメラ用のレンズ装置は、撮影場所が固定されているため、常時フォーカシングを行うものではないが、撮影場所を変更する毎にフォーカスモータによってフォーカスレンズを移動させてフォーカシングを行うとともに、アイリスモータによって絞りを駆動してその撮影場所に最適な絞り値に設定している。
【特許文献１】特開昭５７−１９７０４号公報
【発明の開示】
【発明が解決しようとする課題】
【０００５】
ところで、最近の監視カメラ用に使用される固定焦点レンズ装置は、レンズ装置の光軸長が４０〜５０ｍｍの小型のものが提案されてきているが、このような小型のレンズ装置であっても駆動トルクを確保する目的でフォーカスモータやアイリスモータ（ギヤヘッドを含む）は４０ｍｍを超える大型（レンズ装置に対して大型）なものを使用せざるを得ない。このため、フォーカスモータやアイリスモータの配置位置によっては、レンズ装置が無用に大型化するという問題があった。特に、モータを撮影光軸と平行に配置すると、モータの端部がレンズ装置の前方に突出しまい、広角のレンズ装置を使用した場合にはモータの突出部分が画角内に入り込むという問題があった。
【０００６】
本発明はこのような事情に鑑みてなされたもので、レンズ装置に対して比較的大型のモータが使用されるレンズ装置において、モータの配置位置を改善してコンパクト化を図ることができるレンズ装置を提供することを目的とする。
【課題を解決するための手段】
【０００７】
請求項１に記載の発明は、前記目的を達成するために、固定鏡胴と、前記固定鏡胴に回転自在に取り付けられるとともに外周部にギヤが形成されたリングギヤと、前記固定鏡胴の光軸に対し直交して配置されるとともに前記固定鏡胴の外周部に形成されている凹部に配置され、前記リングギヤに回転駆動力を与えるモータと、を備えたことを特徴としている。
【０００８】
請求項１に記載の発明によれば、リングギヤに回転駆動力を与えるモータを固定鏡胴の光軸に対し直交して配置し、且つレンズ鏡胴の外周部に形成されている凹部に配置した。モータを固定鏡胴の光軸に対し直交して配置することにより、モータの端部がレンズ装置の前方に突出することはないので、広角系の固定焦点レンズを使用することができる。また、モータをレンズ鏡胴の外周部に形成されている凹部に配置することにより、モータがレンズ装置の側部から突出することもない。したがって、レンズ装置に対して比較的大型のモータが使用されるレンズ装置において、コンパクト化を図ることができる。ここで、モータの方向は、モータの回転軸の方向である。すなわち、本発明は、モータの回転軸が光軸に対し直交するようにモータが配置されている。
【０００９】
請求項２に記載の発明は、請求項１に記載の発明において、前記リングギヤは、第１のリングギヤと第２のリングギヤとから構成され、前記凹部は、第１のリングギヤと第２のリングギヤとの間に形成されていることを特徴としている。
【００１０】
固定鏡胴よりも大径の第１のリングギヤ及び第２のリングギヤのギヤ間には径の差により凹部が必然と形成され、この凹部にモータを配置している。
【００１１】
請求項３に記載の発明は、請求項２に記載の発明において、前記モータは、前記第１のリングギヤに動力を与える第１のモータと、前記第２のリングギヤに動力を与える第２のモータとを有し、前記第１のモータと前記第２のモータとは、前記光軸を挟んだ両側に配置されていることを特徴としている。
【００１２】
請求項４に記載の発明は、請求項２又は３に記載の発明において、前記第１のリングギヤはフォーカスリング、前記第２のリングギヤはアイリスリングであることを特徴としている。
【００１３】
第１のリングギヤとしてフォーカシング用のフォーカスリングを駆動する第１のモータと、第２のリングギヤとしてアイリス用のアイリスリングを駆動する第２のモータとを、固定鏡胴の光軸を挟んで両側に配置することにより、モータ同士を干渉させることはなく、モータを配置することができる。
【発明の効果】
【００１４】
以上説明したように本発明に係るレンズ装置によれば、リングギヤに回転駆動力を与えるモータを固定鏡胴の光軸に対し直交して配置し、且つレンズ鏡胴の外周部に形成されている凹部に配置したので、レンズ装置に対して比較的大型のモータが使用されるレンズ装置において、コンパクト化を図ることができる。
【発明を実施するための最良の形態】
【００１５】
以下添付図面に従って、本発明に係るレンズ装置の好ましい実施の形態について詳述する。
【００１６】
図１は、実施の形態に係るレンズ装置１０の要部斜視図、図２は、図１に示したレンズ装置１０が外装カバー１２に収容された外装カバー１２の断面図、図３は、レンズ装置１０自体の断面図である。
【００１７】
図３の如くレンズ装置１０は第１群レンズ１４、第２群レンズ１６、第３群レンズ１８、及び第４群レンズ２０からなる広角系の固定焦点レンズである。また、レンズ装置１０は固定鏡胴２２、移動鏡胴２４、フォーカスリング（第１のリングギヤ）２６、アイリスリング（第２のリングギヤ）２８、及びマウント環３０を有し、固定鏡胴２２に固定されたマウント環３０の雄ねじ部３２を、図２上で二点鎖線で示すカメラ本体３４のマウント部（不図示）にねじ込むことにより、レンズ装置１０がカメラ本体３４に取り付けられる。
【００１８】
移動鏡胴２４は、固定鏡胴２２に挿入配置されるとともにレンズ装置１０の光軸Ｐに沿って前方（被写体側：図３の左方）及び後方（カメラ本体３４側：図３の右方）に摺動自在に設けられている。この移動鏡胴２４に第１レンズ１４がレンズ枠３６を介して固定され、また、第２レンズ１６がレンズ枠３８を介して固定され、更に第３レンズ１８がレンズ枠４０及びレンズ枠３８を介して固定され、そして、第４レンズ２０がレンズ枠４２及びレンズ枠３８を介して固定されている。
【００１９】
移動鏡胴２４の前部の外周面にはヘリコイドギヤ４４が形成され、ヘリコイドギヤ４４は、フォーカスリング２６の内周面に形成されたヘリコイドギヤ４６に噛合されている。したがって、フォーカスリング２６が回動されると、ヘリコイドギヤ４４、４６の送り作用によって移動鏡胴２４が光軸Ｐに沿って前後移動され、これにより、第１群レンズ１４、第２群レンズ１６、第３群レンズ１８及び第４群レンズ２０がともに光軸Ｐに沿って前後移動されるのでフォーカシングがなされる。
【００２０】
第１レンズ１４と第２レンズ１６との間には、絞り装置４８が配置されている。この絞り装置４８は、複数枚の絞り羽根を備えた虹彩絞り装置であり、これらの絞り羽根を動作させて絞り口径を拡縮する駆動ピン５０が、移動鏡胴２４に形成されたスリット５２及び固定鏡胴２２に形成されたスリット５４を介して、アイリスリング２８の内周面に形成された溝５６に係合されている。スリット５２は、アイリスリング２８の回動による駆動ピン５０の周方向移動許容するために移動鏡胴２４の周方向に形成されている。また、スリット５４も同様に、アイリスリング２８の回動による駆動ピン５０の周方向移動を許容するために固定鏡胴２２の周方向に形成されるとともに、フォーカスリング２６の回動による駆動ピン５０の光軸Ｐ方向移動を許容するために固定鏡胴２２の軸方向に長く形成されている。したがって、アイリスリング２８を回動操作することにより、絞り装置４８が駆動されて絞り口径が拡縮され、絞りが調整される。
【００２１】
フォーカスリング２６に回転駆動力を与えるフォーカスモータ（第１のモータ）６０が図１に示されている。フォーカスモータ６０は、その回転軸６２の軸心Ｐ１が固定鏡胴２２の光軸Ｐに対し直交するように配置されている。また、フォーカスモータ６０は図２の如く、フォーカスリング２６とアイリスリング２８との間に形成される凹部６４にその一部が配置されている。
【００２２】
フォーカスモータ６０の回転軸６２には、図１の如くヘリカルギヤ６６が固定され、このヘリカルギヤ６６にはヘリカルギヤ６８が噛合されている。これにより、回転の軸心Ｐ１の向きが９０°変えられて、フォーカスリング２６の回転中心（光軸Ｐ）と平行なＰ２となる。ヘリカルギヤ６８の回転軸７０には平歯車７２が固定され、平歯車７２には、平歯車７４が噛合される。平歯車７４の回転軸７６には平歯車７８が固定され、この平歯車７８は、回転軸８０を中心に回転する平歯車８２に噛合され、この平歯車８２がフォーカスリング２６の外周ギヤ部２７に噛合されている。
【００２３】
したがって、フォーカスモータ６０が駆動されると、その回転駆動力が前述した多数のギヤからなる減速機構を介してフォーカスリング２６に伝達されるので、フォーカスリング２６が回動し、前述の如くフォーカシングがなされる。
【００２４】
一方、アイリスリング２８に回転駆動力を与えるアイリスモータ（第２のモータ）８４は、その回転軸（不図示）の軸心Ｐ３が固定鏡胴２２の光軸Ｐに対し直交するように配置されている。また、アイリスモータ８４は図２の如く、フォーカスリング２６とアイリスリング２８との間に必然的に形成される凹部６４にその一部が配置される。更に、アイリスモータ８４とフォーカスモータ６０とは、図１の如く固定鏡胴２２を挟んで、すなわち、光軸Ｐを挟んで上下対称位置に配置されている。
【００２５】
アイリスモータ８４の回転軸には、図２の破線で示すヘリカルギヤ８６が固定され、このヘリカルギヤ８６は複数のギヤを介して図３の二点鎖線で示す平歯車８８に連結されている。この平歯車８８がアイリスリング２８の外周ギヤ部２９に噛合されている。
【００２６】
したがって、アイリスモータ８４が駆動されると、その回転駆動力が前述した多数のギヤからなる減速機構を介してアイリスリング２８に伝達されるので、アイリスリング２８が回動し、前述の如く絞りが調整される。
【００２７】
このように構成されたレンズ装置１０によれば、フォーカスリング２６及びアイリスリング２８に回転駆動力を与えるフォーカスモータ６０及びアイリスモータ８４をレンズ装置１０の光軸Ｐに対し直交して配置し、且つフォーカスリング２６とアイリスリング２８との間に形成されている凹部６４に配置している。
【００２８】
フォーカスモータ６０及びアイリスモータ８４を光軸Ｐに対し直交して配置することにより、フォーカスモータ６０及びアイリスモータ８４の端部がレンズ装置１０の前方に突出することはないので、実施の形態のレンズ装置１０の如く広角系の固定焦点レンズを使用することができる。
【００２９】
また、フォーカスモータ６０及びアイリスモータ８４を前記凹部６４に配置することにより、フォーカスモータ６０及びアイリスモータ８４がレンズ装置１０の側部から大きく突出することもない。したがって、レンズ装置１０に対して比較的大型のフォーカスモータ６０及びアイリスモータ８４が使用される監視カメラ用のレンズ装置において、コンパクト化を図ることができる。
【００３０】
更に、フォーカスモータ６０及びアイリスモータ８４を光軸Ｐを挟んで両側に配置しているので、フォーカスモータ６０及びアイリスモータ８４を干渉させることなくフォーカスモータ６０及びアイリスモータ８４を配置することができる。
【００３１】
なお、実施の形態では、フォーカスモータ６０及びアイリスモータ８４を備えたレンズ装置１０について説明したが、フォーカスモータ６０及びアイリスモータ８４のうち一方のモータを備えたレンズ装置においても適用することができる。
【図面の簡単な説明】
【００３２】
【図１】実施の形態のレンズ装置の要部斜視図
【図２】図１に示したレンズ装置が外装カバーに収納された形態を示した断面図
【図３】実施の形態のレンズ装置自体の断面図
【符号の説明】
【００３３】
１０…レンズ装置、１２…外装カバー、１４…第１群レンズ、１６…第２群レンズ、１８…第３群レンズ、２０…第４群レンズ、２２…固定鏡胴、２４…移動鏡胴、２６…フォーカスリング、２８…アイリスリング、３０…マウント環、３４…カメラ本体、４８…絞り装置、６０…フォーカスモータ、６４…凹部、８４…アイリスモータ
【図１】
2006251681.tif 000003
【図２】
2006251681.tif 000004
【図３】
2006251681.tif 000005